(57)【特許請求の範囲】
【請求項１】
少なくとも１個の細長い品物が貫通する物体の開口を封止するシールにおいて、
（ａ）少なくとも２個の圧力部材（９）と、
（ｂ）開口を封止する少なくとも２個のシール部材（１、５）であって、少なくとも２個のシール部材（１、５）の少なくとも１個の少なくとも一部が、使用時に少なくとも２個の圧力部材（９）の間に配置される少なくとも２個のシール部材（１、５）と、
（ｃ）細長い品物（２９）が延在する大略の方向に圧力部材（９）を互いにより近接するように移動させることによって、使用時にシール部材を圧縮する圧縮手段（２１）と
を備えて、又、使用時に、細長い品物（２９）が少なくとも２個のシール部材（１、５）の間で延在し、更に、シール部材が、細長い品物（２９）が延在する方向に対して側方方向に互いに近傍に配置されると共に、シール部材が圧縮手段によって圧縮される時に互いに、且つ、細長い品物と封止接触するように構成されたシール。
【請求項２】
シール部材が、
（ａ）使用時に開口の周面内に配置されて、物体と封止接触する少なくとも１個の外方シール部材（１）と、
（ｂ）使用時に外方シール部材の内側に配置される少なくとも１個の内方シール部材（５）と
を備える請求項１に記載のシール。
【請求項３】
外方シール部材（１）が、単独又は組合せで大略円形又は長円形のリングから成る請求項２に記載のシール。
【請求項４】
内方シール部材（５）が、単独又は組合せで大略円形又は長円形の周面を有する請求項２又は３に記載のシール。
【請求項５】
シール部材が弛緩した非変形状態にある時、外方シール部材（１）の内径は、内方シール部材（５）の外径と少なくとも同じ大きさであって、該外径より５ｍｍ以下だけ大きい請求項３に従属する請求項４に記載のシール。
【請求項６】
外方シール部材（１）が、外方シール部材を開口に配置するための少なくとも１個の溝（３）を外周に有する請求項１乃至５のいずれかに記載のシール。
【請求項７】
少なくとも２個の内方シール部材（５）を設けて、又、内方シール部材の各々が、外方シール部材の軸方向で内側に配置されると共に夫々の圧力部材（９）に止着される請求項１乃至６のいずれかに記載のシール。
【請求項８】
少なくとも１個の圧力部材（９）が、使用時に細長い品物（２９）が貫通する１個以上の開口部（１１）を有する請求項１乃至７のいずれかに記載のシール。
【請求項９】
１個以上の開口部（１１）が、使用時に細長い品物（２９）が挿入される１個以上のスロットを備え、更に、スロットは、圧力部材（９）の外周に開口していると共に、該外周から延在する請求項８に記載のシール。
【請求項１０】
少なくとも１個の圧力部材（９）が、更に係止部材（１７）を備え、又、係止部材は、スロット（１１）と大略同じ幅のスリット（１９）を有すると共に、圧力部材の外周上の溝（１５）内で回転自在であり、スロットを閉鎖することにより、スロットに挿入された１個以上の細長い品物（２９）を係止する請求項９に記載のシール。
【請求項１１】
各圧力部材（９）が大略円形の外周を有し、又、各係止部材（１７）が大略円形の内周を有する請求項１０に記載のシール。
【請求項１２】
各係止部材（１７）が夫々の圧力部材（１９）の外周の少なくとも一部の回りを摺動するように、各係止部材を夫々の圧力部材に摺動自在に止着し得る請求項１１に記載のシール。
【請求項１３】
各係止部材（１７）がスリット（１９）を備え、又、使用時に、係止部材（１７）が止着されている圧力部材（９）のスロット（１１）に少なくとも１個の細長い品物（２９）を挿入するために、細長い品物（２９）がスリットに挿通され、更に、複数の挿入を順に行うためにスリット（１９）を順に複数のスロット（１１）の各々の近傍に配置するように、係止部材が圧力部材に対して摺動自在である請求項１２に記載のシール。
【請求項１４】
各係止部材（１７）が大略環状の形状を有する請求項１１乃至１３のいずれかに記載のシール。
【請求項１５】
各係止部材（１７）が、圧力部材（９）の外周の少なくとも１個の溝（１５）に配置されることによって、夫々の圧力部材（９）に止着自在である請求項１０乃至１４のいずれかに記載のシール。
【請求項１６】
使用時に、各係止部材（１７）は、係止部材（１７）が止着されている圧力部材（９）の延長部として働くことによって、シール部材（１、５）の少なくとも１個、好ましくは、少なくとも１個の外方シール部材（１）の圧縮に寄与する請求項１０乃至１５のいずれかに記載のシール。
【請求項１７】
圧縮手段（２１）が、圧力部材（９）の間を延在して該圧力部材を互いに連結する少なくとも１個の接続部材を備える請求項１乃至１６のいずれかに記載のシール。
【請求項１８】
接続部材（２１）が、各圧力部材（９）の中心部を軸方向に貫通する請求項１７に記載のシール。
【請求項１９】
圧縮手段が少なくとも２個のハウジング部（３１、３３）を備え、更に、ハウジング部（３１、３３）は、使用時にシールを少なくとも部分的に囲繞すると共に、圧力部材（９）を互いにより近接するように移動させることによりシール部材（１、５）が圧縮されるように、互いに移動及び固定される請求項１乃至１７のいずれかに記載のシール。
【請求項２０】
ハウジング部（３１、３３）が、ハウジング部上の互いに螺合するねじ山又は差込み取付け具（３７）によって、互いに移動及び固定される請求項１９に記載のシール。
【請求項２１】
光ファイバ又は導電体の１個以上のスプライス部又は接続部を収容する密閉容器において、
密閉容器の壁に請求項１乃至２０のいずれかに記載の少なくとも１個のシールを備える密閉容器。
【発明の詳細な説明】
本発明は、１個以上の細長い品物が貫通する物体の開口を封止するシールに関する。細長い品物は、例えば、ケーブル（光ファイバケーブル又は導電体ケーブル）、（パッチコードやピグテール等の耐衝撃光ファイバを含む）光ファイバ又は導電体（例えば、電線）である。シールは、又、管等と使用してもよい。本発明は、又、光ファイバ又は導電体の１個以上のスプライス部又は接続部を収容して、その壁に少なくとも１個のこのようなシールを備える密閉容器に関する。本発明は、又、物体内の開口を封止する方法に関する。
米国特許第４２６７４０１号は、導管内に配置されて、その導管を封止する少なくとも１個の半径方向に膨張自在のシール部材を備えるプラグコアを有する一方、ケーブル等の通過を許容する導管用シールプラグを開示する。ケーブルのために必要となるまで、シールプラグ内の通路は着脱式のピンインサートによって閉鎖され、そのインサートを所定位置に保持する係止手段が設けられている。プラグは、シール部材を導管壁に封止接触させるために、長手圧縮手段を備える。各通路は、ケーブルの側方挿入を許容するように、スリットを介して夫々のシール部材の円周に開口している。
今回、本発明の発明者達は、構造がより簡単で、且つ、装着がより容易であると共に、米国４２６７４０１のシールプラグと少なくとも同等、好ましくは、より良好な封止性能を提供する新規なシールを開発した。本発明の新規なシールは、米国４２６７４０１のシールプラグより多数の細長い品物を封止するのにも使用されることが好ましい。
本発明の第１の態様によれば、本発明は、１個以上の細長い品物が貫通する物体の開口を封止するシールにおいて、
（ａ）少なくとも２個の圧力部材と、
（ｂ）開口を封止する少なくとも２個のシール部材であって、少なくとも２個のシール部材の少なくとも１個の少なくとも一部が、使用時に少なくとも２個の圧力部材の間に配置される少なくとも２個のシール部材と、
（ｃ）圧力部材を互いにより近接するように移動させることによって、使用時にシール部材を圧縮するする圧縮手段と
を備えて、又、使用時に、細長い品物が少なくとも２個のシール部材の間を延在し、更に、シール部材が、細長い品物が延在する方向に対して側方方向に互いに近傍に配置されると共に、シール部材が圧縮手段によって圧縮される時に互いに、且つ、細長い品物と封止接触するように構成されたシールを提供する。
２個以上のシール部材は、使用時に一体的になる分離した別個の部品であることが好ましい。しかしながら、いくつかの実施形態において、シール部材（又は少なくとも２個のシール部材）は、互いに連結（単一の一体部品として形成することによる連結を含む）されてもよい。例えば、１個以上のウェブ又は他の連結片がシール部材を連結する。
本発明のシールと共に使用されるいくつかの型式の細長い品物の例を上述した。シールは、例えば、ダクトシール（即ち、ダクトの内部を封鎖及び封止する）として使用される。それは、又、壁、例えば、隔壁におけるグロメット又はいわゆる「フィードスルー」として使用される。シールは、例えば、車や他の乗物（船、飛行機、等）におけるフィードスルーとして使用される。一つの特定の使用は、例えば、車や他の乗物のエンジン室と乗員室の間の隔壁のフィードスルーとしてである。しかしながら、本出願人によって意図されたシールの最初の使用は、光ファイバ又は電気的なスプライス部又は結合部等を収容する密閉容器においてである。容器は、例えば、箱や他の囲い、例えば、いわゆる「スプライスケース」である。容器は、例えば１個以上の光ファイバオーガナイザを収納する。
従って、第２の態様によれば、本発明は、光ファイバ又は導電体の１個以上のスプライス部又は接続部を収容する密閉容器において、密閉容器の壁に本発明の第１の態様の少なくとも１個のシール備える密閉容器を提供する。容器にはシールを予備装着してもよいが、好ましくは、シールを、使用時に装着すべき１個以上の別個の部品として供給すべきである。開口は、供給された容器に存在してもよく、又は装着時にだけ作ってもよい。例えば、容器の壁は、（例えば、切断によって）取外されて必要な開口を提供する１個以上の着脱自在の部分を有してもよい。
細長い品物が延在する方向に対して側方方向に互いに近接して配置されると共に、圧縮手段によって圧縮される時に互いに、且つ、細長い品物と封止接触する少なくとも２個のシール部材の間を細長い品物が延在するから、例えば、米国４２６７４０１のシールプラグで必要とするようにピンインサートや他のプラグを使用する必要性が解消されるという利点をシールは有する。代りに、本発明にかかるシールの新規で創意に富む構造により、零個（即ち、細長い品物無し）から各特殊なシール用の適当な最大個数の品物に及ぶ大略いかなる個数の細長い品物に対しても、シール部材を圧縮するだけで、即ち、圧縮手段で圧力部材を互いにより近接するように移動させることにより、密封シールが通常得られる。従って、開口は、それを貫通する細長い品物が０個であっても又１、２、３、４個等（必要な最大まで）であっても、通常、このように封止される。本発明にかかる特に好ましいシールが収納し得る細長い品物の最大個数は２４である。シールは、例えば、２４本の光ファイバ（特に、耐衝撃光ファイバ、例えば、ピグテールやパッチコード）を収納する。他のシールは、勿論、異なる個数（例えば、６、８、１０、１２、２０、３０、４０、４８）の細長い品物を収納する。
本発明の好ましい実施形態によれば、シール部材が、
（ｉ）使用時に開口の周面内に配置されて、物体と封止接触する少なくとも１個の外方シール部材と、
（ii）使用時に外方シール部材の側方（例えば、半径方向）内側に配置される少なくとも１個の内方シール部材と
を備える。
好ましくは、外方シール部材が、単独又は組合せで大略円形又は長円形のリングから成る。内方シール部材が、好ましくは、単独又は組合せで大略円形又は長円形の側方周面を有する。最も好ましくは、シールは、単一の環状外方シール部材（例えば、Ｏリング）と例えば、円板状又はリング状の１個または２個の内方シール部材（又は、少なくとも２個の例えば半円形の内方シール部材を設けてもよい）を有する。例えば、単一の内方シール部材を設けてもよいし、又は代りに、少なくとも２個（好ましくは２個だけ）の内方シール部材を設けて、各内方シール部材を夫々の圧力部材に好都合に止着してもよい。２個以上の内方シール部材を設けた実施形態において、内方シール部材は、使用時に、（細長い品物に対して）好ましくは長手方向に互いに近接していると共に、単一の（長手方向に）より大きい内方シール部材の組合せ効果を有する。
シール部材が弛緩した非変形状態にある時、外方シール部材の内径は、好ましくは内方シール部材の外径と少なくとも同じ大きさであって、該外径より５ｍｍ以下だけ、好ましくは３ｍｍ以下だけ大きい。
外方シール部材が、好ましくは、外方シール部材を開口に配置するための少なくとも１個の溝を側方外周に有する。溝は、例えば、断面が大体Ｕ字状又はＶ字状である。
少なくとも１個の、好ましくは各々の圧力部材が、使用時に細長い品物が貫通する１個以上の開口部を有することが好ましい。１個以上の開口部が、使用時に細長い品物が挿入される１個以上のスロットを備えることが好ましい。スロットは、圧力部材の側方周囲に開口していると共に、該側方周囲から延在することが好ましい。少なくとも１個の、好ましくは各々の圧力部材が、更に係止部材を備え、又、係止部材は、スロットを閉鎖することにより、スロットに挿入された１個以上の細長い品物を係止するように、圧力部材の側方外周に止着自在であることが好都合である。本発明のこの好ましい態様は、当然新規で、且つ、創意に富むと考えられる。
従って、本発明の第３の形態は、１個以上の細長い品物が貫通する物体の開口を封止するシールにおいて、
（ａ）少なくとも２個の圧力部材であって、少なくとも２個の圧力部材の少なくとも１個が、使用時に細長い品物が挿入される１個以上のスロットを有し、更に、スロットは、圧力部材の側方外周に開口していると共に、該側方外周から延在する少なくとも２個の圧力部材と、
（ｂ）開口を封止する少なくとも１個のシール部材であって、少なくとも１個のシール部材の少なくとも一部が、使用時に少なくとも２個の圧力部材の間に配置される少なくとも１個のシール部材と、
（ｃ）圧力部材を互いにより近接するように移動させることによって、使用時にシール部材を圧縮するする圧縮手段と、
（ｄ）スロットを閉鎖することにより、スロットに挿入された１個以上の細長い品物を係止するように、圧力部材の側方外周に止着自在である少なくとも１個の係止部材と
を備えるシールを提供する。
好ましくは、シールは、各々がこのようなスロットを有する少なくとも２個の圧力部材を備える。好ましくは、シールは、又、各々が夫々の圧力部材の側方外周に止着自在である少なくとも２個の係止部材を備える。
本発明の第３及び第１の態様の好ましい実施形態において、各圧力部材が大略円形の側方外周を有し、又、各係止部材が大略円形の側方内周を有することが好ましい。各係止部材が好ましくはスリットを備え、又、使用時に、係止部材が止着されている圧力部材のスロットに少なくとも１個の細長い品物を挿入するために、細長い品物がスリットに挿通され、更に、複数の挿入を順に行うためにスリットを順に複数のスロットの各々の近傍に配置するように、係止部材が圧力部材に対して移動自在、例えば摺動自在であることが好ましい。これは、各細長い品物が夫々のスロットに順に挿入及び係止されるという利点を有する。従って、シールの装着中の正確なスロットからの細長い品物の偶発的な移動は大略防止される。
各係止部材が大略環状の形状を有することが好ましい。最も好ましくは、各係止部材は割りリングから成る。
各係止部材のスリットは、圧力部材のスロットの幅よりも幅広でないことが好ましい。係止部材は弾性的に柔軟であることが好ましく、従って、各係止部材のスリットは、細長い品物をそれ及び圧力部材のスロットに挿通する（又は挿通するのを助ける）ために、（好ましくは手で）開放できることが好ましい。スリットは、細長い品物がそれに挿通される時にこのような弾性的な開放を容易にするために、はすに切られていることが好都合である。いくつかの実施形態において、係止部材は、ばね負荷を受ける、例えば、圧力部材に対して弾性的に付勢されている。
各係止部材が、圧力部材の側方外周の少なくとも１個の溝及び／又は該側方外周の少なくとも１個の突起に配置されることによって、夫々の圧力部材に止着自在であることが好ましい。各係止部材は、係止部材が止着されている圧力部材の側方延長部として働くことによって、シール部材の少なくとも１個、好ましくは、少なくとも１個の外方シール部材の圧縮に寄与することが好都合である。これは、外方シール部材に大略一様な圧縮力を付与するという利点を有する。
第４の態様によれば、本発明は、１個以上の細長い品物が貫通する物体の開口を第１又は第３の態様の好ましい実施形態にかかるシールによって封止する方法において、
（ａ）細長い品物を少なくとも１個の圧力部材のスロットに挿入する工程と、
（ｂ）シール部材を開口に挿入する工程と、
（ｃ）圧縮手段で圧力部材を互いにより近接するように移動させることによって、圧力部材の間のシール部材を圧縮する工程と
を備える方法を提供する。
工程（ｂ）は工程（ａ）の前に行ってもよいが、工程（ａ）は、工程（ｃ）の前に行われる工程（ｂ）の前に行うことが好ましい。
工程（ａ）が、圧力部材の側方外周に止着される係止部材によって、細長い品物を圧力部材のスロットに係止する作業を更に含むことが好ましい。この工程は、係止部材のスリットをスロットの近傍に配置する作業と、細長い品物をスリットに挿通すると共にスロットに挿入する作業と、スリットをスロットから離隔移動させるために係止部材を圧力部材に対して移動、例えば摺動させる作業とを備えることが好都合である。複数の細長い品物が各圧力部材に挿入及び係止されると共に、各々の細長い品物に対して工程（ａ）を順に繰返すことが好ましい。
本発明にかかるシールの圧縮手段が、圧力部材の間を延在して該圧力部材を互いに連結する少なくとも１個の接続部材を備えることが好ましい。圧縮手段が、単一の軸方向中心接続部材を備えることが好ましい。接続部材は、上にねじ切りされたねじ切り締結部材（例えば、ナット、特に蝶ナット等）を有して、ねじ切り（例えば、ボルト）されていることが好都合である。しかしながら、スナップ嵌めシステム及び「ツイストアンドロック」システムを含むいくつかの異なる型式の圧縮手段のいずれを使用してもよい。圧縮手段は、シール部材を圧縮付勢するために弾性手段（例えば、１個以上のばね等）を備えてもよい。
本発明にかかるシールのシール部材は、１個以上の各種の封止材料から形成してもよい。天然又は合成ゴム、例えば、ＥＰＤＭゴム又はシリコーンゴムを含むエラストマーが好ましい。特に好ましい封止材料は、ポリマーフォーム（連続気泡又は独立気泡）、特にシリコーンフォーム（例えば、シリコーンゴムフォーム）である。それに加えて又はその代りに、シール部材をゲル封止材料から形成してもよい。シール部材は、例えば、ゲル又は他の材料、例えば、エラストマーから成ってもよい。ゲルは、例えば、シリコーンゲル、ユリアゲル、ウレタンゲル、熱可塑性ゲルやどんな適当なゲル又はゲロイド（ｇｅｌｌｏｉｄ）封止材料から成ってもよい。ゲルは、通常、大略非圧縮性であると共に、（例えば、本発明にかかるシールの圧力部材の間で）圧縮力を受ける時に通常流れて回りに合致すると共に、他の表面と封止接触する。好ましいゲルは油展ポリマーから成る。ポリマーは、例えば、エラストマー又は相対的に硬質のブロックと相対的にゴム弾性のブロックを有するブロック共重合体から成ってもよい。このような共重合体の例は、例えば、（その開示全体を参考のために本明細書に組込んでいる）国際特許出願ＷＯ８８／００６０３に開示されているように、スチレンブタジエン又はスチレンイソプレンのジブロック又はトリブロック共重合体を含む。しかしながら、より好ましくは、ゲルのポリマーは、１個以上のスチレンエチレンプロピレンスチレンのブロック共重合体から成る。好ましいゲルに使用されるエキステンダー油は、例えば、炭化水素油、例えば、パラフィン系又はナフテン系石油又はポリプロピレン油又はその混合物でもよい。ゲルは、又、添加剤、例えば、（塩化ベンゾイル等の）除湿剤、酸化防止剤、顔料及び／又は殺カビ剤を含んでもよい。
シール部材の封止材料は、好ましくは４０以下、例えば、５〜４０、特に１０〜３０の範囲、例えば１５のショアーＡ硬度を有することが好ましい。それに加えて又はそれに代えて、封止材料は、５０％以下、より好ましくは４０％以下、最も好ましくは３５％以下、例えば２５％の圧縮永久歪を有することが好ましい。この圧縮永久歪は、ＩＳＯ８１５、即ち、３０分の回復時間の後に７０℃で２２時間測定した５０％圧縮歪に従って測定されることが好ましい。
圧力部材と（存在する場合は）係止部材は、１個以上のプラスチック材料、例えば、ポリプロピレン、ポリアミド、ポリカーボネート、アクリロブタジエンスチレン（ＡＢＳ）等から形成されることが好ましい。それに加えて又はそれに代えて、それらを１個以上の金属、例えば、アルミニウム又は鋼から形成してもよい。
本発明を、ここで一例として添付の図面を参照して説明する。
図１は、本発明にかかる一型式のシールの主要部品のいくつかを示す。
図２は、本発明の別の型式のシールの圧力部材と係止部材を示す。
図３は、開口に装着中の本発明にかかる２個の型式のシールを示す。
図４は、本発明にかかる好ましい型式のシールのシール部材、圧力部材と係止部材を示す。
図５は、図４のシールが開口に装着されている一連の４個の図である。
図６は、本発明にかかる別の型式のシールの断面図である。
図７は、図６に示すシールのハウジング部の一つの４個の図を示す。
図１（ａ〜ｄ）は、本発明にかかる一型式のシールの主要部品のいくつかを示す。図１ａは、軸心に対して側方外周に溝３を有する環状シールを成す外方シール部材１の断面を示す。図１ｂは、細長い接続部材（不図示）用の貫通する軸方向穴７を有する円板状の内方シール部材５の断面を示す。図１ｃは、圧力部材９の断面及び端面図を示す。圧力部材９は、円板状を成して、複数（図示は２４個）のスロット１１を有し、各スロット１１は、圧力部材９の側方外周に開口すると共に、該側方外周から延在する。圧力部材９は、又、使用時に細長い接続部材（不図示）が貫通する軸方向穴１０を有する。
図１ｃの断面図に示すように、各スロット１１の閉鎖端は、圧力部材９の平面に対して垂直ではなくて、垂線に対して傾斜（図示は１１°）している。それは、細長い品物（不図示）を内方シール部材５に向けて半径方向で内方に指向させる効果があるので、品物の回りの封止が助長される。この効果は、図１ｄの断続線によって図示されている。
図１ｄは、図ａ、ｂ及びｃに示す部品から２個の圧力部材９を使用して組立てられて装着されるシールを図示するが、圧力部材９の穴１０と内方シール部材５の穴９を貫通する細長い接続部材は明瞭さのために図示されていない。組立てられ装着されたシールにおいて、環状外方シール部材１は、壁１３の開口周囲に挿入されて、開口周囲回りの壁１３が溝３内に配置される。内方シール部材５は、環状外方シール部材１の側方内で、２個の圧力部材９の間に配置される。使用時に、２個のシール部材１と５は、軸方向接続部材圧縮手段によって２個の圧力部材をより近接するように移動させることにより、２個の圧力部材９の間で圧縮される。
図２ａは、側方外周に溝１５を有する点を除いて、図１に示すのと類似の圧力部材９を示す。この溝１５は、図２ｂに示す係止部材１７を受承するためのものである。圧力部材９と溝１５は大体円形であり、係止部材１７は、溝１５の底部半径と少なくとも近似的に同じ内径を有する大略円形の割りリングを成す。
係止部材１７は、圧力部材９のスロット１１の幅と少なくとも近似的に同じ幅を有するスリット１９を有する。使用時に、係止部材１７が圧力部材９の溝１５内に配置されている時、スリット１９がスロット１１の開放端と心合せされるまで、係止部材を圧力部材の回りに溝１５内で摺動（回転）し、次に、細長い品物をスリット１９に側方に通過させて、溝１１内に挿入し、更に、次に、スリット１９がスロット１１と最早心合せされないように、係止部材を摺動（回転）することによって、１個以上の細長い品物が、圧力部材のスロット１１に挿入されて、スロット１１内に係止部材によって係止される。この操作は、必要な回数だけ（即ち、どれだけ多くの細長い品物をスロット１１内に係止する必要があるかに応じて）繰返される。
図３ａと図３ｂは、物体の壁１３の開口に装着中の本発明にかかる２個の少し異なる型式のシールを概略的に示す。両方の図において、環状外方シール部材１は開口周面内に配置され、又、２個の圧力部材９は開口の両側に止着されかけている。図３ａにおいて、単一の内方シール部材５は、一つの圧力部材の内面に前もって止着される。一方、図３ｂにおいては、２個の内方シール部材５があり、各内方シール部材５は夫々の圧力部材５の内面に止着され、更に、圧力部材が互いに接続される時、内方シール部材は外方シール部材１の内側で一体的になる。図３ｂでは接続部材が示されていないが、図３ａでは、それは、一つの圧力部材に止着されるか又はそれと一体であると共に、他方の圧力部材の反対側に位置する部品２５とインターロックし得る端部２３を有する細長い部材２１として示されている。
図３ａと図３ｂの両方において、外方シール部材１と内方シール部材５は、協働する傾斜した側方周囲縁部２７を有する。これらの協働する傾斜縁部は、圧力部材がより近接するように移動させられる時に内方シール部材と外方シール部材を互いに封止接触させるのを助ける。このように、シール部材はくさびとして働く。図３ａに示す外方シール部材１の側方内周縁部は、片側からだけはすに切られて、単一の内方シール部材５と協働する一方、図３ｂに示す外方シール部材１の側方内周縁部は、両（反対）側からはすに切られて、２個の内方シール部材５と協働する。
図３ｂには、開口を貫通する細長い品物２９が略図的に図示されている。この細長い品物は、例えば、ピグテールやパッチコード等の耐衝撃光ファイバ（即ち、堅固な外方ジャケットに入れられた光ファイバ）である。細長い品物２９は内方シール部材５と外方シール部材１の間を延在することが理解される。２個の圧力部材９を互いにより近接させることによって、シール部材を圧縮する時、内方シール部材と外方シール部材は、互いに、且つ、それらの間を延在する細長い品物２９と封止接触する。シール部材の間には、プラグやピン等によって塞ぐ必要のある穴は無い。
図４は、本発明にかかる好ましいシールの係止部材１７が止着された２個の圧力部材９と、内方シール部材５及び外方シール部材１を示す。このシールの開口への装着は、図５ａ乃至図５ｄに図示されている。
図５ａにおいて、外方シール部材１は開口に挿入されており、開口を貫通する細長い品物２９（耐衝撃光ファイバ）は、一つの圧力部材９のスロット１１に挿入されている。内方シール部材５は、軸方向に細長いねじ接続部材２１から成る圧縮手段に支承される。図５ｂは、開口の反対側の他方の圧力部材９のスロット１１に配置された細長い品物２９を示す。図５ｃでは、２個の圧力部材が、それらの間のシール部材を圧縮するように、互いに接続されかけている。図５ｄは、開口に装着されたシールを、開口及びシールを貫通する２４個の細長い品物２９と共に示す。図４及び図５に示すシール部材は、シリコーンフォームから形成される。
図６は、本発明にかかる別の型式のシールの断面図である。このシールでは、圧縮手段は、２個のハウジング部である主管状部３１と管状端部３３を備える。主管状部３１は、封止すべき開口内に配置される。好ましくは、主管状部３１の端３５が開口内に固定されて、主管状部の残りが開口から延在する。管状端部３３は、差込み取付け具３７によって、主管状部３１に対して移動自在且つ固定自在である。管状端部３３を主管状部３１に固定すれば、２個の円板状圧力部材９が互いにより近接するように移動せしめられる結果、シール部材１と５が圧縮される。
図７は、図６に示すシールの管状端部３３の４個の図を示す。端部３３は、開放される（従って、完全に包まれる）ように、３９においてヒンジ付けされている。端部３３は、インターロック部品４１と４３によって閉鎖してもよい。
【図１ａ】
0004131988.tif 000002
【図１ｂ】
0004131988.tif 000003
【図１ｃ】
0004131988.tif 000004
【図１ｄ】
0004131988.tif 000005
【図１ｅ】
0004131988.tif 000006
【図２ａ】
0004131988.tif 000007
【図２ｂ】
0004131988.tif 000008
【図３ａ】
0004131988.tif 000009
【図３ｂ】
0004131988.tif 000010
【図４】
0004131988.tif 000011
【図５ａ】
0004131988.tif 000012
【図５ｂ】
0004131988.tif 000013
【図５ｃ】
0004131988.tif 000014
【図５ｄ】
0004131988.tif 000015
【図６】
0004131988.tif 000016
【図７】
0004131988.tif 000017